(57)【特許請求の範囲】
【請求項１】
動作により演出を行う可動演出装置を備えた遊技機において、
前記可動演出装置は、
装置本体と、
前記装置本体に配設され、待機位置と作動位置との間を往復移動するよう構成された可動体と、
前記可動体に配設された第１磁着部材と、
前記可動体に設けられた押圧部と、
前記装置本体に配設され、前記可動体が待機位置に位置する状態で前記第１磁着部材と磁着する第２磁着部材とを備え、
前記押圧部は、前記可動体が待機位置から作動位置へ移動する移動開始方向に交差する方向に延在する板状に構成され、
前記第１磁着部材は、
前記第２磁着部材に磁着して、前記可動体を待機位置に保持する磁着部と、
前記押圧部に面接触して、前記可動体が待機位置から作動位置に移動する際に押圧部に押圧される被押圧部とを備え、
前記磁着部および被押圧部が前記移動開始方向に離間するよう形成されて、該磁着部および被押圧部の間に前記押圧部が挿入された状態で可動体に配設され、
前記磁着部および被押圧部の離間距離は、前記押圧部の厚みより大きく設定されて、前記第１磁着部材が押圧部に対し姿勢変化可能に構成された
ことを特徴とする遊技機。
【請求項２】
前記磁着部は、前記第２磁着部材に磁着した状態で、該第２磁着部材における磁着部側の面から外方に突出するよう構成した請求項１記載の遊技機。
【請求項３】
前記可動体に、基板および該基板を後方から覆う保護板部が配設され、前記磁着部および被押圧部の間に押圧部を挿入させた前記第１磁着部材に対し保護板部が後方から当接することで、該第１磁着部材が可動体に取付けられる請求項１または２記載の遊技機。
【請求項４】
前記第１磁着部材は、強磁性体であり、前記第２磁着部材は、磁石である請求項１〜３の何れか一項に記載の遊技機。
【発明の詳細な説明】
【技術分野】
【０００１】
この発明は、待機位置と作動位置とを往復移動する可動体を有する可動演出装置を備えた遊技機に関するものである。
【背景技術】
【０００２】
例えば、遊技機の代表例の一つであるパチンコ機は、機内にセットされる遊技盤の盤面にパチンコ球が打出される遊技領域が画成されている。遊技盤の後側には、箱状部材が配設され、該箱状部材に、各種図柄を変動表示して図柄変動演出を行う液晶式やドラム式等の図柄表示装置が配設される。また、図柄表示装置の下方位置に、図柄表示装置での図柄変動演出を開始させる契機となる始動入賞装置が配設されている。そして、前記遊技領域を流下するパチンコ球が、前記始動入賞装置に設けた始動口に入賞することで、図柄表示装置での図柄変動演出を開始させると共に、パチンコ球を賞球として払出すよう構成されている。
【０００３】
また、前記箱状部材には、所定の演出動作を行う可動体を備えた可動演出装置が配設され、該可動体を前記図柄表示装置で行なわれる遊技演出に合わせて作動させることにより、視覚的な演出効果を向上させるようになっている。例えば、特許文献１のパチンコ機では、可動演出装置の装置本体に対し可動体を上下方向に往復移動可能に配設し、遊技演出に合わせて可動体が上方の待機位置から下方の作動位置へ移動することで、遊技の興趣向上が図られている。
【０００４】
ここで、特許文献１の可動演出装置では、可動体が待機位置に到来すると駆動モータが停止して、可動体を待機位置で停止させるようになっている。ところが、作動機構等の誤差によって可動体が待機位置で正確に停止しなかったり、遊技時の振動等によって可動体が待機位置から下方へ離間してしまうことがある。そこで、特許文献１では、可動体に磁石を配設すると共に、該磁石が磁着可能な金属板(強磁性体)を装置本体側に配設し、可動体が待機位置に到来したときに磁石が金属板に磁着することで、可動体が待機位置に確実に保持されるようになっている。
【先行技術文献】
【特許文献】
【０００５】
【特許文献１】特開２００９−１１２６５８号公報
【発明の概要】
【発明が解決しようとする課題】
【０００６】
ところで、従来では、可動体を待機位置に保持するための磁石は、ネジにより可動体にネジ止めされるのが一般的である。しかしながら、このようなネジによる固定方法では、可動体が作動して磁石が金属板から離間する際、磁石のネジとの固定部分に局所的な負荷が付与されてしまう。このため、磁石の劣化が早まって、該磁石に亀裂が生じたり、磁石が破損したりすることがあった。
【０００７】
すなわち、本発明は、従来技術に係る遊技機に内在する前記問題に鑑み、これらを解決するべく提案されたものであって、可動体の作動時における第１磁着部材への負荷を分散させて、該第１磁着部材の劣化を抑制し得る遊技機を提供することを目的とする。
【課題を解決するための手段】
【０００８】
前記課題を解決し、所期の目的を達成するため、本発明に係る遊技機は、
動作により演出を行う可動演出装置(72)を備えた遊技機において、
前記可動演出装置(72)は、
装置本体(78)と、
前記装置本体(78)に配設され、待機位置と作動位置との間を往復移動するよう構成された可動体(80)と、
前記可動体(80)に配設された第１磁着部材(82)と、
前記可動体(80)に設けられた押圧部(84)と、
前記装置本体(78)に配設され、前記可動体(80)が待機位置に位置する状態で前記第１磁着部材(82)と磁着する第２磁着部材(86)とを備え、
前記押圧部(84)は、前記可動体(80)が待機位置から作動位置へ移動する移動開始方向に交差する方向に延在する板状に構成され、
前記第１磁着部材(82)は、
前記第２磁着部材(86)に磁着して、前記可動体(80)を待機位置に保持する磁着部(168)と、
前記押圧部(84)に面接触して、前記可動体(80)が待機位置から作動位置に移動する際に押圧部(84)に押圧される被押圧部(170)とを備え、
前記磁着部(168)および被押圧部(170)が前記移動開始方向に離間するよう形成されて、該磁着部(168)および被押圧部(170)の間に前記押圧部(84)が挿入された状態で可動体(80)に配設され、
前記磁着部(168)および被押圧部(170)の離間距離は、前記押圧部(84)の厚みより大きく設定されて、前記第１磁着部材(82)が押圧部(84)に対し姿勢変化可能に構成されたことを特徴とする。
請求項１の発明によれば、第１磁着部材は、面接触した押圧部により被押圧部が押圧される構成としたので、第１磁着部材に負荷が分散して付与されて、該第１磁着部材の劣化を抑制することが可能となる。そして、磁着部および被押圧部の離間距離を押圧部の厚みより大きくしたので、磁着部および被押圧部の間の空間に隙間が生じ、第１磁着部材が押圧部に対し姿勢変化することが可能となる。これにより、可動体が待機位置から作動位置に移動する際に、第１磁着部材が姿勢変化することで該第１磁着部材が第２磁着部材からスムーズに離間することが可能となり、演出時に可動体が待機位置から移動不能となると云った事態を抑制し得る。また、第１磁着部材が第２磁着部材から離間し易くなるので、可動体を作動させる駆動手段への負荷が少なくって、該駆動手段の劣化を抑制することが可能となる。
【００１０】
請求項２に係る遊技機では、前記磁着部(168)は、前記第２磁着部材(86)に磁着した状態で、該第２磁着部材(86)における磁着部(168)側の面から外方に突出するよう構成した。
請求項２の発明によれば、磁着部は、第２磁着部材における磁着部側の面から外方に突出するよう構成したので、第１磁着部材が第２磁着部材から容易に離間させることが可能となる。
【００１１】
請求項３に係る遊技機では、前記可動体(80)に、基板(138)および該基板(138)を後方から覆う保護板部(140)が配設され、前記磁着部(168)および被押圧部(170)の間に押圧部(84)を挿入させた前記第１磁着部材(82)に対し保護板部(140)が後方から当接することで、該第１磁着部材(82)が可動体(80)に取付けられる。
請求項３の発明によれば、基板を覆う保護板部を利用して第１磁着部材を可動体に取付けるようにしたので、固定手段を用いることなく第１磁着部材を可動体に容易に取付けることが可能となる。また、可動体を固定する固定手段が必要でなく、部品点数が少なくなって製品コストを抑制し得る。
【００１２】
請求項４に係る遊技機では、前記第１磁着部材(82)は、強磁性体であり、前記第２磁着部材(86)は、磁石である。
請求項４の発明によれば、可動体と共に移動する第１磁着部材を強磁性体としたので、第１磁着部材を磁石とした場合のように、磁石が移動することで磁界が変化して、遊技機を構成する電気部品や遊技球に悪影響を与えるのを防止し得る。
【発明の効果】
【００１３】
本発明に係る遊技機によれば、第１磁着部材への負荷を分散させて、該第１磁着部材が劣化するのを抑制し得る。
【図面の簡単な説明】
【００１４】
【図１】本発明の実施例に係るパチンコ機の正面図である。
【図２】実施例に係る遊技盤を示す正面図である。
【図３】実施例に係る箱状部材を示す正面図である。
【図４】実施例に係る装置本体を前側から見た分解斜視図である。
【図５】実施例に係る可動体を後側から見た分解斜視図である。
【図６】実施例に係る装飾部材および前カバーを取外した状態の可動演出装置を示す正面図であって、可動体が待機位置にある状態を示す。
【図７】実施例に係る前カバーを取外した状態の可動演出装置を示す正面図であって、可動体が作動位置にある状態を示す。
【図８】実施例に係る可動演出装置を図３のA−A線で切断した縦断面図である。
【図９】実施例に係る金属部材を押圧部に取付ける様子を後方から見た拡大斜視図である。
【図１０】金属部材および磁石部材が磁着した状態の可動演出装置を拡大して示す背面図である。
【図１１】実施例に係る保護板部を取外した状態で示す可動演出装置の背面図である。
【図１２】変更例に係る金属部材の被押圧部を拡大して示す縦断面図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、図１に示すようにパチンコ機１０を前側(遊技者側)から見た状態で指称する。但し、部材を後側から見た状態で示す図面を参照する場合には、当該参照した図面を基準として「右」、「左」を指称する場合がある。
【実施例】
【００１６】
実施例に係るパチンコ機１０は、図１〜図３に示すように、矩形枠状に形成されて遊技店の図示しない設置枠台に固定される固定枠としての外枠１２の開口前面側に、遊技盤１４が着脱可能に保持される本体枠としての中枠１６が開閉および着脱可能に組み付けられる。遊技盤１４の裏側に対しては、各種図柄を変動表示可能な図柄表示装置１８が配設された箱状部材２０が着脱自在に設けられる。また、前記中枠１６の前面側には、前記遊技盤１４を透視保護するガラス板を備えた装飾枠としての前枠２２が開閉可能に組み付けられると共に、該前枠２２の下方にパチンコ球を貯留する下球受け皿２４が開閉可能に組み付けられる。なお、前記中枠１６には、操作ハンドル３４が設置され、遊技者が操作ハンドル３４を回動操作することで、図示しない打球発射装置がパチンコ球を発射するようになっている。また、前記前枠２２の下部位置に、パチンコ球を貯留する上球受け皿２６が一体的に組み付けられており、前枠２２の開閉に合わせて上球受け皿２６も一体的に開閉するよう構成される。
【００１７】
図２に示すように、実施例の遊技盤１４は、盤面に配設されたレール部材４８によりパチンコ球が流下可能な遊技領域５０が画成された略矩形状のベニヤ板で構成されている。前記遊技盤１４の中央部に設けた貫通口(図示せず)には、前記図柄表示装置１８の表示部１８ａが臨む図柄表示用開口部５１が開設された枠状装飾部材５２が配設されると共に、該枠状装飾部材５２の下方位置に、パチンコ球が入賞可能な始動口５４,５６を備えた始動入賞装置５８が配設されている。前記始動入賞装置５８には、上下の関係で始動口５４,５６が設けられており、上部始動口５４または下部始動口５６にパチンコ球が入賞することで、図柄表示装置１８での図柄変動演出が開始されるよう構成される。この図柄変動演出の結果、前記図柄表示装置１８に特定の図柄組合わせ(例えば、同一図柄の三つ揃え)が表示されることで遊技者に有利な大当り(特別遊技)が発生するよう構成されている。前記遊技盤１４における始動入賞装置５８の下方位置には、大当り発生時に特別入賞口６０を開放してパチンコ球の入賞を許容する特別入賞装置６２が配設され、該特別入賞口６０にパチンコ球が入賞することで、球払出装置(図示せず)から前記上球受け皿２６に賞球が払出されるようになっている。
【００１８】
前記箱状部材２０は、図３に示すように、前記遊技盤１４に対向する略矩形状の対向面部６４と、該対向面部６４の周縁部から前方に延出する外周壁部６６とから前方に開放する箱状に形成されている。外周壁部６６の前端部には、箱状部材２０の開口外側へ延出する設置固定部６８が複数形成されている。そして、外周壁部６６の前端部および設置固定部６８を遊技盤１４の後面に当接した状態で、各設置固定部６８を遊技盤１４にネジ止めすることで、箱状部材２０が遊技盤１４に着脱自在に取付けられる。箱状部材２０を遊技盤１４に取付けた状態では、該遊技盤１４および箱状部材２０の間に所要の空間(以下、設置空間Ｔという)が画成される(図１,図２参照)。前記対向面部６４には、上下および左右幅の大部分が開口する矩形状の表示開口部７０が設けられると共に、対向面部６４の後面には、表示開口部７０を覆うように前記図柄表示装置１８が着脱自在に配設されている。また、箱状部材２０には、遊技状態に合わせて発光演出および可動演出を行う可動演出装置７２が、前記対向面部６４における表示開口部７０の左側全体を前側から覆うように配設されている。更に、箱状部材２０の対向面部６４における表示開口部７０の右側および下側には、右部演出装置７４および下部演出装置７６が配設されている。これら可動演出装置７２、右部演出装置７４および下部演出装置７６は、箱状部材２０を遊技盤１４に取付けた状態で、前記設置空間Ｔに収容されるようになっている。
【００１９】
〔可動演出装置について〕
図４,図５に示すように、前記可動演出装置７２は、前記箱状部材２０の対向面部６４に取付けられる装置本体７８と、該装置本体７８に配設され、上方の待機位置(図２の実線参照)と下方の作動位置(図２の２点鎖線参照)との間を上下方向に往復移動するよう構成された可動体８０と、該可動体８０に配設された金属部材(第１磁着部材,強磁性体)８２と、該可動体８０に設けられ、金属部材８２が設置される押圧部８４と、装置本体７８に配設され、可動体８０が待機位置に位置する状態で金属部材８２と磁着する磁石部材(第２磁着部材,磁石)８６とから基本的に構成される。
【００２０】
〔装置本体について〕
図４に示すように、前記装置本体７８は、前方が開放する箱状に形成された収容ケース体８８と、該ケース体８８の前方開口を閉塞するように配設される前カバー体８９とから構成される。前記収容ケース体８８は、上下方向に延在して前記対向面部６４に取着される取着面部９０と、該取着面部９０の周縁部から前方へ延出するケース体壁部９２とから構成されている。前記取着面部９０の上部には、右側へ水平に突出する突出面部９４が形成されており、該突出面部９４の周縁部から前方へ突出壁部９６が延出している。右側のケース体壁部９２には、上下方向の略中央位置から前記突出面部９４に至る領域にかけて切欠部９８が形成され、該切欠部９８を介して収容ケース体８８の内部空間と外部とが連通している。また、前記取着面部９０には、収容ケース体８８の内部空間を左右に２分する仕切壁１００が上下方向に延在するよう形成されている。
【００２１】
図６,図７に示すように、前記収容ケース体８８における仕切壁１００の右側の空間(以下、右側空間Ｕ１という)には、金属製の案内レール１０２が上下方向に延在するよう配設されており、該案内レール１０２に同じく金属製のスライド部材１０４がスライド自在に配設されている。前記収容ケース体８８における仕切壁１００の左側の空間(以下、左側空間Ｕ２という)には、可動体８０を駆動させる駆動モータ１０６が取付部材１０８を介して配設されている。前記仕切壁１００における駆動モータ１０６に対応する箇所には、モータ用切欠部１１０が形成されており、駆動モータ１０６から右方へ突出する駆動軸１０６ａが、モータ用切欠部１１０を介して右側空間Ｕ１に延出している。駆動モータ１０６の駆動軸１０６ａの端部には、駆動ギヤ１１２が設けられ、駆動モータ１０６が駆動することで、駆動ギヤ１１２が右側空間Ｕ１において正逆方向に回転するようになっている。図７に示すように、前記取着面部９０における右側空間Ｕ１の上部には、上フック部１１４が形成されており、該上フック部１１４に弾性部材１１６の上端が係止されている。また、前記取着面部９０における左上隅部には、前記可動体８０の原位置(待機位置)を検知する原位置検知スイッチ１１８が設けられている。この原位置検知スイッチ１１８は、前後方向に離間する一対の検知片１１８ａ,１１８ａを備え、両検知片１１８ａ,１１８ａの間に可動体８０に設けられた被検知片１４４(後述)が臨むことで、可動体８０の原位置を検知するようになっている。
【００２２】
図６に示すように、下側の突出壁部９６における上面には、前方に開放すると共に直方体状の保持空間Ｖが内部画成された磁石設置部１２０が形成されている。この磁石設置部１２０の保持空間Ｖには、前記磁石部材８６が前側から挿入されて、該磁石部材８６が保持されるようになっている。磁石設置部１２０の上部には、前方および上下方向に開放する凹状部１２０ａが形成されており、前記磁石部材８６を保持空間Ｖに出し入れする際に、凹状部１２０ａを介して作業者が磁石部材８６を摘み得るようになっている。
【００２３】
前記前カバー体８９は、前記取着面部９０および突出面部９４に略整合するＬ字状に形成されており、前記切欠部９８に対応する部位を除く前カバー体８９の周縁部が前記ケース体壁部９２および突出壁部９６の前端縁に当接した状態で、前カバー体８９が収容ケース体８８にネジ止めされている。また、図８に示すように、前カバー体８９における下側の突出壁部９６に対応する縁部には、押さえ板部１２２が形成されており、前カバー体８９を収容ケース体８８に取付けた状態で、押さえ板部１２２が前記磁石設置部１２０の前端部に当接して、該磁石設置部１２０の前方開口を閉塞するようになっている。前カバー体８９の前面下部には、矩形状の基板設置部１２４が形成されており、図３に示すように、パチンコ機１０に設けた制御装置(図示せず)に電気的に接続する外部中継基板１２６が基板設置部１２４に配設されている。この外部中継基板１２６に対しては、配線１０６Ｘを介して前記駆動モータ１０６が接続されており、該駆動モータ１０６は、制御装置からの制御信号に基づいて駆動制御されるようになっている。また、外部中継基板１２６には、配線１１８Ｘを介して前記原位置検知スイッチ１１８が接続されており、原位置検知スイッチ１１８で検知された信号は、外部中継基板１２６を介して制御装置に送信される。そして、原位置検知スイッチ１１８からの信号を受けた制御装置は、前記駆動モータ１０６の駆動を停止制御して、可動体８０を待機位置で停止させるようになっている。
【００２４】
〔磁石部材について〕
前記磁石部材８６は、直方体状に形成された永久磁石であって、前記磁石設置部１２０の保持空間Ｖに嵌合し得る寸法に設定される。また、磁石部材８６は、図８に示すように、保持空間Ｖに挿入した状態で、該磁石部材８６の前端面が磁石設置部１２０の前端部と略同一面上に位置するようになっている。前記前カバー体８９を収容ケース体８８に取付けた状態では、磁石部材８６の前端面に前記押さえ板部１２２が前側から当接して、磁石部材８６が磁石設置部１２０から脱落不能とされる。すなわち、実施例の磁石部材８６は、ネジ等の固定手段を用いることなく可動体８０の磁石設置部１２０に設置される。
【００２５】
〔可動体について〕
図５に示すように、前記可動体８０は、前記装置本体７８の内部に臨む鉛直部１２８および該鉛直部１２８から図５の左方へ延出する水平部１３０からなる可動体本体１３２と、該鉛直部１２８に固定されると共に前記スライド部材１０４に連結された連結体１３４と、水平部１３０の前側に配設された装飾部材１３６と、該水平部１３０に配設された中継基板(基板)１３８と、該中継基板１３８を後方から覆うように水平部１３０に配設された保護板部１４０と、水平部１３０の端部に設けられた発光演出体１４２とから基本的に構成されている。前記可動体本体１３２は、上下方向に延在して前記装置本体７８の内部にスライド自在に配設される前記鉛直部１２８と、該鉛直部１２８の上部から垂直に延出する前記水平部１３０とから略Ｌ字状に形成されている。前記鉛直部１２８の上部には、薄板状の被検知片１４４が取付けられており、可動体８０が待機位置に位置した際に、被検知片１４４が前記原位置検知スイッチ１１８の両検知片１１８ａ,１１８ａの間に臨むよう構成される(図６参照)。
【００２６】
前記連結体１３４は、前記スライド部材１０４に連結された連結本体部１４６と、該連結本体部１４６の下端部から下方へ延出する取付部１４８とから上下に長尺な部材とされて、前記装置本体７８の右側空間Ｕ１をスライド部材１０４と共に上下方向にスライドするよう構成される。前記連結本体部１４６には、前記上フック部１１４に対応する下フック部１５０(図７参照)が形成されており、下フック部１５０に前記弾性部材１１６の下端が係止される。実施例では、前記弾性部材１１６は、自然長から伸長した状態で、上フック部１１４および下フック部１５０に係止されるようになっており、連結本体部１４６(可動体８０)に対し、弾性部材１１６から常に上向きの弾性力が付与される。
【００２７】
前記取付部１４８は、上下方向に延在する長尺体であって、前記連結本体部１４６の下端部における右側に偏倚した箇所から下方へ延出している。図７に示すように、前記取付部１４８の下端部は、可動体８０が作動位置に位置した際に、収容ケース体８８の下側のケース体壁部９２に当接して、該可動体８０の下方の移動限界を規定している。取付部１４８の後側には、該取付部１４８の上下の延在長さと略等しいラック板部１５２が取付けられており、該ラック板部１５２の前面左側に設けたラック部１５２ａが取付部１４８の左側に沿って上下に延在している。前記ラック板部１５２のラック部１５２ａには、駆動モータ１０６の駆動ギヤ１１２が前側から噛合するようになっており、駆動ギヤ１１２が回転することで、ラック板部１５２が上下にスライドして連結体１３４(可動体８０)が移動される。
【００２８】
前記水平部１３０は、前記可動体８０を装置本体７８に取付けた状態で、該装置本体７８の切欠部９８を介して右方へ延出し、前記枠状装飾部材１３６の図柄表示用開口部５１に臨むよう構成される。図２に示すように、水平部１３０は、前記待機位置では、図柄表示用開口部５１の上部に位置すると共に、前記作動位置では、図柄表示用開口部５１の上下略中央に位置し、水平部１３０が上下動する様子が、前記図柄表示用開口部５１を介して前側から視認し得るよう構成される(実際には、水平部１３０に取付けられた装飾部材１３６が視認される)。水平部１３０は、左右方向に長尺な矩形板状の水平板体１５４と、該水平板体１５４の上下の縁部から後方へ延出する水平部壁部１５６とから後方に開放する樋状に構成されて、該水平部１３０の後側に前記中継基板１３８を収容可能な基板収容部Ｗが画成されている。前記水平板体１５４の後面には、複数の位置決め突起１５４ａが後方に突出して形成されている。
【００２９】
図５,図９に示すように、上側の水平部壁部１５６における前記鉛直部１２８に近接する部位には、上下の厚みが大きい肉厚部１５８が形成されており、該肉厚部１５８に、後方に開放する差込凹部１６０が凹設されている。この差込凹部１６０の開口形状は、左右に長尺な矩形状をなしている。また、肉厚部１５８において、前記差込凹部１６０の上縁部を規定する薄板状の部分が、前記押圧部８４を構成しており、該押圧部８４に前記金属部材８２が設置されるようになっている。図１０に示すように、この押圧部８４は、左右方向に水平に延在しており、可動体８０が待機位置に位置した際に、前記突出壁部９６と平行に対向するよう構成される。すなわち、押圧部８４は、可動体８０が待機位置から作動位置へ移動する際の移動開始方向(下方)に交差する方向(左右方向)に延在している。また、図８に示すように、押圧部８４の水平板体１５４からの突出寸法は、該押圧部８４以外の水平部壁部１５６の突出寸法より僅かに小さく設定されている。なお、押圧部８４の上面には、上方に突出すると共に前後方向に延在するリブ８４ａ,８４ａが左右に離間して２つ形成されている。
【００３０】
図５,図１１に示すように、前記中継基板１３８は、前記基板収容部Ｗの内部形状に整合するよう形成された横長矩形状の基板であって、中継基板１３８の後面に２つのケーブルコネクタ部１６２,１６２が設けられている。この中継基板１３８のケーブルコネクタ部１６２,１６２には、前記発光演出体１４２から導出する２つのフラットケーブル１６４,１６４(後述)が中継接続されるようになっている。前記中継基板１３８には、前後方向に開放する位置決め孔１３８ａが複数開設されており、各位置決め孔１３８ａに前記水平板体１５４の対応する位置決め突起１５４ａが嵌入することで、中継基板１３８が水平部１３０に対し位置決めされる。なお、図１１に示すように、中継基板１３８から２つの配線１３８Ｘ,１３８Ｘが導出しており、該配線１３８Ｘ,１３８Ｘは、水平部１３０の基板収容部Ｗに沿って図１１の右方へ案内されて、前記装置本体７８の内部に引き出される。そして、装置本体７８の内部を案内された配線１３８Ｘ,１３８Ｘは、装置本体７８の外部に引き出された後、前記外部中継基板１２６に接続される(図３参照)。
【００３１】
図５に示すように、前記保護板部１４０は、前記水平部１３０の後方開口の略全体を覆い得る形状に形成された薄板であって、前記中継基板１３８を保護するものである。前記保護板部１４０の前面から複数の押さえ突起１４０ａが前方へ突出するように形成されており、保護板部１４０を水平部１３０に取付けた状態で、押さえ突起１４０ａの前端部が中継基板１３８に当接するよう構成される。すなわち、中継基板１３８は、水平板体１５４および押さえ突起１４０ａにより挟持固定され、ネジ等の固定手段を用いることなく基板収容部Ｗに設置される。保護板部１４０の左側上部(図５では、右側上部)には、前記押圧部８４に対応する箇所に押え部１４０ｂが形成されている。
【００３２】
前記水平部１３０の右端部に設けられる前記発光演出体１４２は、遊技演出に合わせて発光演出するものであって、水平部１３０と共に上下に移動するよう構成される。前記発光演出体１４２の内部には、前方へ向けて光を照射するＬＥＤ素子を複数備えた発光基板(何れも図示せず)が配設されている。図１１に示すように、前記発光基板から２つのフラットケーブル１６４,１６４が導出しており、各フラットケーブル１６４は、前記中継基板１３８の対応するケーブルコネクタ部１６２に接続されている。すなわち、発光基板は、前記中継基板１３８および外部中継基板１２６を介して前記制御装置に電気的に接続され、該制御装置からの制御信号に基づき発光制御されるようになっている。前記装飾部材１３６は、前記水平部１３０の前側に配設され、前記図柄表示用開口部５１を介して前方から視認されるものである。前記装飾部材１３６の前面には、所要の装飾が施された意匠面が形成されると共に、該装飾部材１３６の前面に弦巻に模した装飾体１３６ａが配設されている。図８に示すように、前記装飾部材１３６の上縁部は、装飾部材１３６を水平部１３０に取付けた状態で、前記押圧部８４の前側に位置すると共に、該押圧部８４より上方に突出するよう構成される。
【００３３】
〔金属部材について〕
図５,図８に示すように、前記金属部材８２は、鉄等の強磁性体からなる金属板体を断面Ｕ字状に屈曲形成して構成される。この金属部材８２は、前記磁石部材８６に磁着して、前記可動体８０を待機位置に保持する磁着部１６８と、可動体８０が待機位置から作動位置に移動する際に押圧部８４に押圧される被押圧部１７０と、磁着部１６８および被押圧部１７０を連結する湾曲部１７２とから構成される。図８に示すように、前記磁着部１６８は、可動体８０が待機位置に位置した際に、前記装置本体７８における下側の突出壁部９６に当接し、該突出壁部９６を介して前記磁石部材８６に磁着するよう構成される。図１０に示すように、前記磁着部１６８は、磁石部材８６に磁着した状態で、該磁石部材８６の下面(磁着部１６８側の面)から左右方向(外方)に突出するよう構成される。すなわち、磁着部１６８の左右方向の寸法は、磁石部材８６の左右方向の寸法より大きく設定される。前記被押圧部１７０は、前記磁着部１６８と略同形状に形成され、該磁着部１６８から所定間隔下方(移動開始方向)に離間している。前記湾曲部１７２は、前記磁着部１６８および被押圧部１７０の後端部を連結するものであって、後方に突出する円弧形状をなしている。図８,図９に示すように、磁着部１６８および被押圧部１７０の間には、前方および左右に開放した空間(以下、挿入空間Ｒという)が画成される。
【００３４】
図１０に示すように、前記金属部材８２の左右方向の寸法は、前記押圧部８４の左右方向の寸法より僅かに小さく設定されている。また、前記被押圧部１７０は、前記水平部１３０の差込凹部１６０に挿入し得る寸法に設定される。そして、前記金属部材８２は、前記被押圧部１７０を差込凹部１６０に差込むと共に、前記挿入空間Ｒに押圧部８４が挿入されることで、該押圧部８４に跨るように設置される。図８に示すように、金属部材８２が押圧部８４に設置された状態では、該押圧部８４が被押圧部１７０に対向するようになっている。そして、可動体８０が待機位置から作動位置へ移動する際に、押圧部８４が被押圧部１７０に面接触するよう構成される。また、湾曲部１７２の後面における最も後方へ突出した部位は、水平部壁部１５６の後端部と略同一面上に位置するよう構成される。そして、前記保護板部１４０を水平部１３０に取付けることで、該保護板部１４０の押え部１４０ｂが金属部材８２の湾曲部１７２に当接して、該金属部材８２が可動体８０(水平部１３０)から脱落不能とされる。すなわち、実施例の金属部材８２は、ネジ等の固定手段を用いることなく、可動体８０に取付けられるようになっている。図１０に示すように、金属部材８２が押圧部８４に取り付けられた状態では、磁着部１６８が上側の水平部壁部１５６より僅かに上方に突出し、該磁着部１６８の上面が露出した状態となる。また、図８に示すように、磁着部１６８の上面は、前記装飾部材１３６の上縁部と略同一高さに位置するよう設定され、磁着部１６８の略全体が装飾部材１３６によって前側から覆われるようになっている。
【００３５】
ここで、前記磁着部１６８および被押圧部１７０の離間距離は、図８に示す如く、前記押圧部８４の厚みより大きく設定されており、押圧部８４を挿入空間Ｒに挿入させた状態で、該挿入空間Ｒにスペースが生じるようになっている。すなわち、押圧部８４は、挿入空間Ｒにぴったりと嵌合するのではなく、幾らかの余裕をもって挿入空間Ｒに挿入される。また、被押圧部１７０の左右方向および上下方向の寸法は、差込凹部１６０の左右方向および上下方向の開口寸法より小さく設定される。すなわち、被押圧部１７０も差込凹部１６０に余裕をもって挿入されて、該差込凹部１６０内で被押圧部１７０が変位するのは許容される。従って、金属部材８２は、押圧部８４に対し姿勢変化可能とされて、可動体８０が待機位置から作動位置へ移動する際に、金属部材８２が姿勢変化するよう構成される。具体的には、金属部材８２は、図１０に示すように、磁着部１６８および被押圧部１７０が下側の突出壁部９６(押圧部８４)に対して左右方向に傾斜した姿勢や、図８に示すように、磁着部１６８および被押圧部１７０が下側の突出壁部９６(押圧部８４)に対して前後方向(図８では、左右方向)に傾斜した姿勢に姿勢変化し得るようになっている。
【００３６】
〔実施例の作用〕
次に、実施例に係るパチンコ機１０の作用につき説明する。
【００３７】
金属部材８２を可動体８０に取付けるに際しては、図９に示すように、前記被押圧部１７０を差込凹部１６０に挿入すると共に、挿入空間Ｒに押圧部８４を挿入させて、金属部材８２を押圧部８４に跨らせる。このとき、図８に示すように、湾曲部１７２の後面における最も後方へ突出した部位が、水平部壁部１５６の後端部と略同一面上に位置する。次に、前記保護板部１４０を水平部１３０に取付けて、該保護板部１４０の押え部１４０ｂで金属部材８２の湾曲部１７２を押さえ、該金属部材８２が可動体８０に設置される。すなわち、実施例では、ネジ等の固定手段を用いることなく、金属部材８２を可動体８０に簡単に取付けることができ、取付作業を効率的とし得る。また、中継基板１３８を保護する保護板部１４０で金属部材８２を押さえる構造としたので、金属部材８２の固定手段が不要となり、部品点数を少なくし得る。更に、金属部材８２は、装飾部材１３６により前側が覆われて、図柄表示用開口部５１を介して前方から視認し難くなっているので、パチンコ機１０の意匠性が向上し、遊技の興趣が高められる。
【００３８】
前記磁石部材８６を装置本体７８に設置する際には、前記磁石設置部１２０に該磁石部材８６を前側から挿入させる。磁石部材８６が磁石設置部１２０に完全に挿入されると、図８に示すように、磁石部材８６の前端面が磁石設置部１２０の前端部と同一面上に位置する。次に、前カバー体８９を収容ケース体８８に取付けると、前カバー体８９の押さえ板部１２２が磁石部材８６の前端面および磁石設置部１２０の前端部に当接し、ネジ等の固定手段を用いることなく、磁石部材８６が装置本体７８に設置される。従って、磁石部材８６についても、装置本体７８に容易に取付けることができ、取付作業を効率的とし得る。しかも、磁石部材８６は、ネジ等の磁性体を用いることなく装置本体７８に設置されるので、ネジ等の磁性体が磁石部材８６に常に磁着することで該磁石部材８６の磁力が低下するのを防止することができる。
【００３９】
次に、可動演出装置７２の作用について説明する。図６に示すように、可動演出装置７２の非作動状態では、前記可動体８０は、前記金属部材８２の磁着部１６８が装置本体７８の突出壁部９６に当接して磁石部材８６に磁着しており、可動体８０が待機位置に保持される。すなわち、磁石部材８６の磁力により可動体８０が待機位置に保持されるので、遊技中の振動や可動体８０の自重により、該可動体８０が待機位置から勝手に下方へ移動するのを防止し得る。パチンコ機１０が所定の遊技状態となると、前記制御装置が駆動モータ１０６に制御信号を送出し、可動体８０による可動演出が行われる。すなわち、駆動モータ１０６が駆動して駆動ギヤ１１２が回転されると、ラック板部１５２がスライド部材１０４と共に下方へスライドする。これにより、スライド部材１０４に連結された連結体１３４(可動体８０)が前記弾性部材１１６の弾性力に抗して下方へスライドする。
【００４０】
前記連結体１３４が下方へスライドすると、前記金属部材８２に対して可動体８０(押圧部８４)が下降し、押圧部８４が被押圧部１７０に当接して該被押圧部１７０を下方へ押圧する。このとき、被押圧部１７０は押圧部８４に面接触するので、該押圧部８４からの負荷が被押圧部１７０の面全体に付与される。すなわち、押圧部８４からの負荷が被押圧部１７０に局所的に加わるのではなく、被押圧部１７０の面に分散されて加わるので、該被押圧部１７０への負荷が低減し、金属部材８２の劣化を抑制することが可能となる。
【００４１】
ここで、金属部材８２が磁石部材８６に磁着した状態において、押圧部８４や被押圧部１７０の接触面は、加工時に生ずる微小な凹凸や成形誤差等によって、相対的に前後方向または左右方向に僅かに傾斜している。また、押圧部８４は、挿入空間Ｒに余裕をもって挿入されるので、金属部材８２は、押圧部８４に対し姿勢変化することが可能となっている。そのため、押圧部８４が被押圧部１７０に接触した際に、該被押圧部１７０が左右方向または前後方向に僅かに傾斜することとなる。従って、磁着部１６８は、水平姿勢で磁石部材８６(突出壁部９６)から離間するのではなく、該磁石部材８６(突出壁部９６)に対し前後方向または左右方向に僅かに傾斜しながら離間する。すなわち、図８の２点鎖線で示すように、金属部材８２(磁着部１６８)が磁石部材８６(突出壁部９６)に対して前後方向(図８では、左右方向)に傾斜しながら離間したり、図１０の２点鎖線で示すように、金属部材８２(磁着部１６８)が磁石部材８６(突出壁部９６)に対して左右方向に傾斜しながら離間したりすることとなる。これにより、磁着部１６８が磁石部材８６に対し平行姿勢のまま下方へ離間する場合に較べて、磁着部１６８を磁石部材８６から容易に引き離すことができる。従って、駆動モータ１０６への負荷を低減し得ると共に、金属部材８２に対する押圧部８４からの負荷が小さくなって、金属部材８２の劣化を抑制し得る。しかも、磁着部１６８は、図１０に示す如く、左右方向の寸法が磁石部材８６の左右方向の寸法に較べて大きく設定されているので、磁着部１６８の左右の端部が磁石部材８６から離間して、両端部に作用する磁力は小さくなっている。従って、磁着部１６８が左右方向へ傾斜するのが容易となって、駆動モータ１０６や金属部材８２への負荷は一層低減される。また、磁着部１６８は、押圧部８４のリブ８４ａ,８４ａに接触した状態となって、押圧部８４との接触面積が小さくなっているので、磁石部材８６が姿勢変化する際の抵抗が抑制されて、姿勢変化が容易となる。
【００４２】
前記金属部材８２(磁着部１６８)が磁石部材８６(突出壁部９６)から離間すると、該磁石部材８６による金属部材８２への磁力は小さくなり、可動体８０は、前記弾性部材１１６の弾性力に抗して下降される。ここで、実施例では、移動する可動体８０に金属部材８２を設けると共に、装置本体７８に磁石部材８６を設ける構成が採用されている。従って、磁石部材８６を可動体８０に設けた場合のように、磁石部材８６が移動することで磁界の変化が生じ、遊技盤１４の始動入賞装置５８や特別入賞装置６２等の電気部品に影響を与えることはない。また、磁石部材８６が移動することで、遊技盤１４の遊技領域５０を流下するパチンコ球の流下方向に影響を与え、遊技に支障を来すこともない。
【００４３】
可動体８０が下降して、図７に示すように、前記連結体１３４の取付部１４８の下端が、前記収容ケース体８８の下側のケース体壁部９２に当接すると、前記制御装置が駆動モータ１０６を停止制御して、可動体８０が作動位置で停止する。このとき、図２の２点鎖線で示す如く、前記水平部１３０(装飾部材１３６)が図柄表示用開口部５１の上下の略中央位置に位置して、遊技の興趣が高められる。次に、所定の遊技状態となると、可動体８０は、作動位置から上昇して、待機位置に復帰される。すなわち、前記制御装置から駆動モータ１０６に制御信号が送出されて、駆動ギヤ１１２が反対方向に回転される。そして、ラック板部１５２が上方へスライドして、可動体８０が上昇を開始する。このとき、前記弾性部材１１６の弾性力により可動体８０が上方へ引っ張られているので、駆動モータ１０６は、小さな動力で可動体８０を上昇させることができる。可動体８０が上昇して、前記鉛直部１２８に設けた被検知片１４４が原位置検知スイッチ１１８の両検知片１１８ａ,１１８ａの間に臨むと、該原位置検知スイッチ１１８が検知信号を制御装置へ送出し、該制御装置は、駆動モータ１０６を停止制御させる。
【００４４】
また、前記金属部材８２が磁石部材８６(突出壁部９６)に近接するにつれて、金属部材８２の磁着部１６８に作用する磁石部材８６の磁力が強まる。これにより金属部材８２を上方へ引き寄せる力が作用し、可動体８０を上方移動させる補助を行う。そして図６,図８に示すように、磁着部１６８が突出壁部９６の下面に当接して磁石部材８６に磁着することで、可動体８０が待機位置に停止される。すなわち、磁着部１６８が磁石部材８６に磁着することで、可動体８０を待機位置に正確に停止させることができる。また、磁石部材８６の磁力により可動体８０を待機位置に安定して保持することが可能となる。ここで、前記磁石部材８６は、前記突出壁部９６を介して磁石部材８６に間接的に磁着するようになっている。これにより、金属部材８２が磁石部材８６に強固に磁着してしまい、可動体８０が移動不能となる事態を防止し得る。しかも、磁石部材８６が金属部材８２に直接接触しないことから、金属部材８２が磁着する際の磁石部材８６への衝撃が緩和されて、磁石部材８６が破損等するのを防止することができる。
【００４５】
〔変更例〕
実施例では、押圧部および被押圧部の接触面が成形誤差等により相対的に僅かに傾斜する構成とした。しかしながら、被押圧部または押圧部を、金属部材が磁石部材に磁着した状態において、前後方向または左右方向に積極的に傾斜させる構成を採用することも可能である。例えば、図１２に示すように、被押圧部１７１を後方から前方（図１２では、右方から左方）へ向けて上方傾斜するよう構成し、押圧部８４が被押圧部１７１に接触した際に、金属部材８３が図１２の反時計回り方向に大きく姿勢変化するようにしてもよい。このように、被押圧部１７１を押圧部８４に対し積極的に傾斜させることで、金属部材８３が大きく姿勢変化し、該金属部材８３が磁石部材８６から容易に離間することが可能となる。なお、図１２おいて、実施例と同一の部材については、同一の符号が付してある。但し、被押圧部１７１は、後方から前方へ向けて上方傾斜する構成に限定される訳でなく、被押圧部１７１を後方から前方へ向けて下方傾斜させたり、左右方向に傾斜させたりしてもよい。また、押圧部８４を前後方向または左右方向に積極的に傾斜させる構成を採用することも可能である。
【００４６】
なお、遊技機の構成としては、実施例および変更例のものに限らず、種々の変更が可能である。
(１)  実施例および変更例では、可動体が上下方向に移動する構成としたが、可動体の移動方向としては、左右方向であっても、斜め方向であってもよい。また、可動体は、必ずしも直線的に移動する必要はなく、曲線的に移動してもよい。そして、押圧部の延在方向は、可動体の移動開始方向に応じて適宜変更し得る。例えば、可動体が左右方向に移動する構成を採用した場合には、押圧部は、移動開始方向に交差する上下方向に延在するよう設ければよい。
(２)  実施例および変更例では、断面Ｕ字状の第１磁着部材を採用したが、磁着部および被押圧部が離間した構成であれば、断面コ字状の第１磁着部材を採用したり、断面Ｈ型状の第１磁着部材を採用してもよい。
(３)  実施例および変更例では、第１磁着部材が突出壁部を介して第２磁着部材に磁着する構成としたが、第１磁着部材が第２磁着部材に直接磁着する構成であってもよい。また、第１磁着部材側に突出壁部に相当する部材を設け、第２磁着部材は露出した構成であってもよい。
(４)  実施例および変更例では、第１磁着部材として強磁性体を採用し、第２磁着部材として磁石を採用したが、夫々、逆の構成であってもよく、また、第１,第２磁着部材を何れも磁石としてもよい。
(５)  実施例および変更例では、可動体に配設される基板として中継基板を採用したが、基板として、可動体(水平部)を発光させる発光基板を採用してもよい。
(６)  実施例および変更例では、遊技機としてパチンコ機を例示して説明したが、これに限られるものではなく、アレンジボール機やピンボール機等の従来公知の各種遊技機を採用し得る。
【符号の説明】
【００４７】
７２  可動演出装置
７８  装置本体
８０  可動体
８２  金属部材(第１磁着部材,強磁性体)
８４  押圧部
８６  磁石部材(第２磁着部材,磁石)
１３８  中継基板(基板)
１４０  保護板部
１６８  磁着部
１７０  被押圧部
【図１】
0005486466.tif 000002
【図２】
0005486466.tif 000003
【図３】
0005486466.tif 000004
【図４】
0005486466.tif 000005
【図５】
0005486466.tif 000006
【図６】
0005486466.tif 000007
【図７】
0005486466.tif 000008
【図８】
0005486466.tif 000009
【図９】
0005486466.tif 000010
【図１０】
0005486466.tif 000011
【図１１】
0005486466.tif 000012
【図１２】
0005486466.tif 000013